(57)【要約】      （修正有）【課題】簡単な固定金具を使用することによって、組立後の体裁がよく、組立作業が極めて簡単で、コストも低く抑えることができる横桟の取付構造。【解決手段】横桟に挿入してねじ止めする取付部と、該取付部の一端を鋭角に折り曲げる係止部とを形成した固定金具１２、１２の取付部を横桟１１の両端部にビス１１ｂで付設し、取付部のビス１１ｂを緩めたまま係止部を固定枠２６の角孔２６ａに挿入し、取付部のビス１１ｂを締め付けることにより固定金具１２、１２を固定枠２６の内面に弾発的に係止させる。【選択図】図１
2010007238.tif 000002
【特許請求の範囲】
【請求項１】
横桟と、該横桟の両端部に付設する固定金具とを備えてなり、該固定金具は、前記横桟に挿入してねじ止めする取付部と、該取付部の一端を鋭角に折り曲げる係止部とを形成し、前記横桟は、前記取付部のねじ孔にねじ込むビスを緩めたまま前記係止部とともに先端を竪部材の角孔に挿入し、前記ビスを締め付けることにより前記係止部を竪部材の内面に弾発的に係止させて固定することを特徴とする横桟の取付構造。
【請求項２】
前記係止部の先端は、前記取付部側に１８０°に折り返すことを特徴とする請求項１記載の横桟の取付構造。
【発明の詳細な説明】
【技術分野】
【０００１】
この発明は、たとえば間仕切りの開口部や、ベランダの手摺などに好適に適用することができる横桟の取付構造に関する。
【背景技術】
【０００２】
間仕切りにおいて、隣接する２本の支柱間に横桟を取り付ける場合、Ｌ字形の取付金具を介して横桟の先端と各支柱の側面とをねじ止めして連結するのが普通である（たとえば特許文献１）。
【０００３】
なお、横桟の先端の取付位置にコ字状の受け金具を取り付け、角パイプの横桟の先端を受け金具に挿入し、横桟に嵌合する角筒状のキャップを介して、キャップ、横桟、受け金具を一体にねじ止めする方法も知られている（非特許文献１）。
【特許文献１】特開２００５−１５５２７５号公報
【非特許文献１】インターネット検索資料（http://www.sugita-ace.co.jp/column/archives/2006/11/10/entry393.html）
【発明の開示】
【発明が解決しようとする課題】
【０００４】
かかる従来技術の前者によるときは、横桟の先端は、取付金具を介して支柱の側面に突き当てられるから、両者間に隙間を生じて体裁がよくない上、ねじ止め用に３本以上のビスを使用するから、組立作業が煩雑であるという問題があった。また、後者によるときは、大形のキャップ、受け金具を使用するから、必ずしも体裁がよくない上、製造コストが過大になりがちであるという問題がある。
【０００５】
そこで、この発明の目的は、かかる従来技術の問題に鑑み、弾発的に作用する簡単な固定金具を使用することによって、組立後の体裁がよく、組立作業が極めて簡単で、コストも低く抑えることができる横桟の取付構造を提供することにある。
【課題を解決するための手段】
【０００６】
かかる目的を達成するためのこの発明の構成は、横桟と、横桟の両端部に付設する固定金具とを備えてなり、固定金具は、横桟に挿入してねじ止めする取付部と、取付部の一端を鋭角に折り曲げる係止部とを形成し、横桟は、取付部のねじ孔にねじ込むビスを緩めたまま係止部とともに先端を竪部材の角孔に挿入し、ビスを締め付けることにより係止部を竪部材の内面に弾発的に係止させて固定することをその要旨とする。
【０００７】
なお、係止部の先端は、取付部側に１８０°に折り返すことができる。
【発明の効果】
【０００８】
かかる発明の構成によるときは、横桟は、両端部を竪部材の角孔に挿入し、それぞれ固定金具の取付部のねじ孔にねじ込むビスを締め付けることにより、取付部に対して鋭角に屈曲する係止部を竪部材の内面に弾発的に係止させて固定することができる。すなわち、横桟の先端は、竪部材の角孔に挿入されているため、竪部材との間に隙間を生じるおそれがなく、固定金具も、取付部、係止部がそれぞれ横桟内、竪部材内に収納され、外部から全部隠蔽されており、良好な体裁を実現することができる。また、固定金具は、帯状の金属板を折り曲げ加工するだけで済み、１本のビスをねじ止め用に使用するだけであるから、組立作業も簡単であり、コストも低く抑えることができる。なお、ここでいう竪部材とは、間仕切りや、ベランダの手摺、柵などの支柱や、竪枠・竪框などの他、これらの竪材に付設する横桟の取付用の付属部材を総称するものとし、薄板材を折り曲げ、または薄肉の押出形材などにより形成されているものとする。
【０００９】
係止部の先端は、取付部側に折り返すことにより、竪部材の内面に弾発的に係止させる際に、竪部材の内面に沿って滑らかに相対移動し、竪部材に食い込んだりするおそれがない。
【発明を実施するための最良の形態】
【００１０】
以下、図面を以って発明の実施の形態を説明する。
【００１１】
横桟の取付構造は、横桟１１と、横桟１１の両端部に付設する左右の固定金具１２、１２とを備えてなる（図１）。ただし、横桟１１は、他の横桟１１とともに、間仕切り２０の上部の開口部Ｗに装着されている。
【００１２】
間仕切り２０は、床Ｆ側の床レール２１、天井Ｃ側の天井レール２２の間に、１スパンごとに支柱２３、２３を立て、隣接する支柱２３、２３の間に前後のパネル２４、２４を装着して構成されている（図１、図２）。ただし、図１、図２には、それぞれ１本の支柱２３のみが図示されている。各支柱２３の下端には、アジャスタ２３ａが装着され、パネル２４、２４は、支柱２３、２３の間に架設する上下の水平材２４ａ、２４ｂを介して支持されている。なお、パネル２４、２４の下方には、幅木２４ｃ、２４ｃが付設され、上の水平材２４ｂ上には、開口部Ｗの下枠２５ａが支承されている。
【００１３】
開口部Ｗは、パネル２４、２４の上方に開口している。開口部Ｗの四周には、下枠２５ａ、左右の竪枠２５ｂ、２５ｂ、上枠２５ｃが枠状に形成されており、下枠２５ａ、各竪枠２５ｂ、上枠２５ｃは、それぞれ前後の押出形材の枠材２５、２５を組み合わせて構成されている（図２、図３）。下枠２５ａは、ばね材のフック金具２５ｄ、２５ｅを介して前後の枠材２５、２５が水平材２４ｂ上に組み付けられ、各竪枠２５ｂは、下枠２５ａと同様にして支柱２３に組み付けられている。また、上枠２５ｃは、ばね材のフック金具２５ｆを介して天井レール２２の両側に組み付けられている。各フック金具２５ｄ、２５ｅには、それぞれスペーサ用の屈曲部２５ｄ1 、２５ｅ1 が形成されており（図３）、枠材２５、２５の内向きの先端は、クッション性のスペーサ２５ｇを介して支承されている。また、下枠２５ａ、上枠２５ｃの各前後の枠材２５、２５の間には、目地カバー２５ｈが装着されている（図２）。
【００１４】
各竪枠２５ｂの内面側には、横桟１１、１１の取付用の竪部材として、固定枠２６が付設されている（図１、図３）。固定枠２６は、薄板材を浅いチャンネル状に折り曲げ加工して形成され（図３、図４）、横桟１１、１１に適合する角孔２６ａ、２６ａが上面側に形成されている。ただし、図４（Ａ）、（Ｂ）は、それぞれ固定枠２６の一部破断正面図、同図（Ａ）の左側面図である。固定枠２６の裏面側には、ハット形の脚２６ｂ、２６ｂが角孔２６ａ、２６ａに対応させて取り付けられており、各脚２６ｂには、孔２６ｂ1 、２６ｂ1 が開口されている。そこで、固定枠２６は、竪枠２５ｂの枠材２５、２５の間に脚２６ｂ、２６ｂを挿入し、角孔２６ａを介して、各孔２６ｂ1 に挿通するタッピングビス２６ｃを支柱２３にねじ込むことにより、各竪枠２５ｂの内面に固定されている。
【００１５】
横桟１１は、薄板材を折り曲げて作る断面正方形の角パイプ材である（図１、図２）。横桟１１の両端部には、それぞれ上面側の孔１１ａに挿通するビス１１ｂを介して固定金具１２が付設されている（図５）。固定金具１２は、横桟１１に挿入してねじ止めする舌片状の取付部１２ａの一端を鋭角に折り曲げて係止部１２ｂを形成し、取付部１２ａには、ビス１１ｂ用のねじ孔１２ｃが形成され、係止部１２ｂの先端は、取付部１２ａ側に１８０°に折り返されている。なお、横桟１１上の孔１１ａは、丸孔としてもよく、横桟１１の長手方向に長い楕円孔または長孔としてもよい。
【００１６】
各横桟１１は、両端部を固定枠２６、２６の角孔２６ａ、２６ａに挿入し、両端の固定金具１２、１２を介して開口部Ｗに装着されている（図１、図６）。すなわち、横桟１１は、ビス１１ｂを緩めたまま、固定金具１２の斜め上向きの係止部１２ｂとともに先端を固定枠２６の角孔２６ａに挿入し（図７（Ａ）の矢印方向）、そのままビス１１ｂを締め付けて固定金具１２の係止部１２ｂを固定枠２６の内面に弾発的に係止させることにより（同図（Ｂ））、固定枠２６に固定することができる。ただし、横桟１１は、左右のビス１１ｂ、１１ｂを交互に締め付けて、左右の固定枠２６、２６の角孔２６ａ、２６ａに挿入される両端の長さを揃えることが好ましい（図６）。なお、固定金具１２の取付部１２ａ、係止部１２ｂの相対屈曲角度θは、図７（Ａ）の自由状態においてθ≒８０°、同図（Ｂ）の使用状態においてθ≒８７°である。
【他の実施の形態】
【００１７】
横桟１１の取付用の固定枠２６、２６は、それぞれタッピングビス２６ｃを介し、竪枠２５ｂとともに支柱２３にねじ止めしてもよい（図８）。ただし、図８の竪枠２５ｂは、単一の押出形材により形成されている。
【００１８】
なお、横桟１１は、ビス１１ｂ、１１ｂ、固定金具１２、１２を使用する限り、固定枠２６、２６に連結するに代えて、竪枠２５ｂ、２５ｂに連結してもよく、支柱２３、２３に連結してもよい。また、横桟１１は、ビス１１ｂ、１１ｂ、固定金具１２、１２を介して、窓や扉、戸などの竪框に装着してもよく、ベランダの手摺、柵などの支柱に装着してもよい。そこで、横桟１１の断面形状は、これらの適用目的に合わせて、正方形断面の他、縦長または横長の長方形断面の角パイプ材としてもよく、断面チャンネル状の部材としてもよい。
【図面の簡単な説明】
【００１９】
【図１】使用状態分解斜視図
【図２】使用状態縦断面図
【図３】使用状態横断面図
【図４】固定枠の構成説明図
【図５】図１の要部拡大図
【図６】使用状態拡大正面図
【図７】取付手順説明図
【図８】他の実施の形態を示す図３相当図
【符号の説明】
【００２０】
１１…横桟
１１ｂ…ビス
１２…固定金具
１２ａ…取付部
１２ｂ…係止部
１２ｃ…ねじ孔
２６ａ…角孔
特許出願人          小松ウオール工業株式会社
代理人  弁理士                松  田  忠  秋
【図１】
2010007238.tif 000003
【図２】
2010007238.tif 000004
【図３】
2010007238.tif 000005
【図４】
2010007238.tif 000006
【図５】
2010007238.tif 000007
【図６】
2010007238.tif 000008
【図７】
2010007238.tif 000009
【図８】
2010007238.tif 000010